(57)【要約】【課題】特色印刷の機能を有する画像形成装置内に保存されている特色処理が施された画像データを、ネットワークに接続された特色印刷の機能を有さない画像形成装置で印刷出力する際に、正確な印刷出力結果が得られない。【解決手段】特色印刷の機能を有する画像形成装置内に特色処理が施された画像データを保存する際に特色処理の画像データと一緒に差分情報を保存し、当該データを特色印刷の機能を有さない４色出力の画像形成装置で印字する際には、差分情報をもとに４色画像データに復元して特色印刷の機能を有さない画像形成装置にデータを送信する。【選択図】図９
2010056647.tif 000002
【特許請求の範囲】
【請求項１】
ネットワークに接続される特色印刷の機能を有する画像形成装置において、
特色画像データ及び４色画像データを生成する手段と、
前記特色画像データと前記４色画像データとを用いて前記特色画像データのＣＭＹＫ版の画素値と前記４色画像データの画素値の差分情報を抽出する差分抽出手段と、
前記特色画像データと前記差分情報とを記憶する記憶手段と、
前記ネットワークを介して他の画像形成装置で印刷する際に前記他の画像形成装置が特色印刷の機能を有するか否かを判断する判断手段と、
前記判断手段により前記他の画像形成装置が特色印刷の機能を有さないと判断された場合に、前記記憶手段に記憶されている前記特色画像データと前記差分情報を利用して４色画像データを復元する画像データ復元手段と、
前記他の画像形成装置に前記復元された４色画像データを送信する画像データ送信手段と、
を有することを特徴とする画像形成装置。
【請求項２】
前記差分抽出手段が抽出する差分情報には、特色トナーの種類に関する情報を含み、
前記画像データ復元手段は、さらに前記差分情報から特色トナーに関する情報を抽出して特色トナー情報を生成し、
前記画像データ送信手段は、前記復元された４色画像データと前記特色トナー情報を前記他の画像形成装置に送信する、
ことを特徴とする請求項１に記載の画像形成装置。
【請求項３】
前記画像データ送信手段は、前記判断手段により前記他の画像形成装置が特色印刷の機能を有すると判断された場合に、前記特色画像データのみを前記他の画像形成装置に送信することを特徴とする請求項１又は２に記載の画像形成装置。
【請求項４】
ネットワークに接続される特色印刷の機能を有する画像形成装置において、
ユーザの指示を入力する入力手段と、
前記入力された指示に基づく特色トナー印字位置情報及び４色画像データを生成する手段と、
前記４色画像データと前記特色トナー印字位置情報とを記憶する手段と、
前記ネットワークを介して他の画像形成装置で印刷する際に前記他の画像形成装置が特色印刷の機能を有するか否かを判断する判断手段と、
前記判断手段により前記他の画像形成装置が特色印刷の機能を有さないと判断された場合に、前記４色画像データを送信し前記特色トナー印字位置情報は送信しない画像データ送信手段と、
を有することを特徴とする画像形成装置。
【請求項５】
請求項１乃至４のいずれか１項に記載の画像形成装置を少なくとも１つ備えたことを特徴とするネットワークプリンティングシステム。
【請求項６】
ネットワークに接続される特色印刷の機能を有する画像形成装置の制御方法において、
特色画像データ及び４色画像データを生成するステップと、
前記特色画像データと前記４色画像データとを用いて前記特色画像データのＣＭＹＫ版の画素値と前記４色画像データの画素値の差分情報を抽出する差分抽出ステップと、
前記特色画像データと前記差分情報とを記憶する記憶ステップと、
前記ネットワークを介して他の画像形成装置で印刷する際に前記他の画像形成装置が特色印刷の機能を有するか否かを判断する判断ステップと、
前記判断ステップにより前記他の画像形成装置が特色印刷の機能を有さないと判断された場合に、前記記憶ステップに記憶されている前記特色画像データと前記差分情報を利用して４色画像データを復元する画像データ復元ステップと、
前記他の画像形成装置に前記復元された４色画像データを送信する画像データ送信ステップと、
を有することを特徴とする画像形成装置の制御方法。
【請求項７】
前記差分抽出ステップが抽出する差分情報には、特色トナーの種類に関する情報を含み、
前記画像データ復元ステップは、さらに前記差分情報から特色トナーに関する情報を抽出して特色トナー情報を生成し、
前記画像データ送信ステップは、前記復元された４色画像データと前記特色トナー情報を前記他の画像形成装置に送信する、
ことを特徴とする請求項６に記載の画像形成装置の制御方法。
【請求項８】
前記画像データ送信ステップは、前記判断ステップにより前記他の画像形成装置が特色印刷の機能を有すると判断された場合に、前記特色画像データのみを前記他の画像形成装置に送信することを特徴とする請求項６又は７に記載の画像形成装置の制御方法。
【請求項９】
ネットワークに接続される特色印刷の機能を有する画像形成装置の制御方法において、
ユーザの指示を入力するステップと、
前記入力された指示に基づく特色トナー印字位置情報及び４色画像データを生成するステップと、
前記４色画像データと前記特色トナー印字位置情報とを記憶するステップと、
前記ネットワークを介して他の画像形成装置で印刷する際に前記他の画像形成装置が特色印刷の機能を有するか否かを判断する判断ステップと、
前記判断ステップにより前記他の画像形成装置が特色印刷の機能を有さないと判断された場合に、前記４色画像データを送信し前記特色トナー印字位置情報は送信しない画像データ送信ステップと、
を有することを特徴とする画像形成装置の制御方法。
【請求項１０】
コンピュータに、請求項６乃至９のいずれか１項に記載の方法を実行させるためのプログラム。
【請求項１１】
コンピュータに、請求項６乃至９のいずれか１項に記載の方法を実行させるためのプログラムを格納した、コンピュータが読み取り可能な記録媒体。
【発明の詳細な説明】
【技術分野】
【０００１】
本発明は、特色印刷の画像データを、特色印刷に対応していない画像形成装置によって効率良く印刷出力するための画像処理の方法に関する。
【背景技術】
【０００２】
デジタルプリンティング技術はオンデマンド印刷市場や少部数の文書印刷市場において、近年確実にその利用価値を高めつつある。特に電子写真技術を用いたフルカラープリンティングは生産性や印刷コスト、メンテナンスの容易性などの面で他のプリンティング技術よりも優位な位置にあり、急速にその市場を広めつつある。その中で、特に従来のＣ（シアン）、Ｍ（マゼンタ）、Ｙ（イエロー）、Ｋ（ブラック）の４色のトナーを用いた電子写真印刷によるフルカラー印刷だけではなく、さらに特殊なトナーを用いた多色の印刷方式も注目を集めている。このため、オンデマンド性、即時性の高い特殊印刷市場も視野に入ってきている。特殊トナーの例としては、印刷物の表面の凸凹を吸収し、高光沢性を実現できる透明トナーやハイライト部のざらつきを押さえることができる淡トナー等が挙げられる。特殊トナーを使用することで通常のデジタル印刷とは異なる新たな付加価値が得られるようになり、デジタルプリンティングの世界をさらに拡大していくことが可能になる。以上のような背景から、一般に複合機と呼ばれる画像形成装置（以下、「ＭＦＰ」という。）には従来の４色印刷のカラーＭＦＰに加えて、特殊トナーを実装したＭＦＰが市場に投入されている。
【０００３】
さらに特殊トナーを有効に利用するために、Ｃ、Ｍ、Ｙ、Ｋ以外の色である特色を扱うことが可能なアプリケーションソフトも数多く市場に投入されている。このようなアプリケーションを利用することで、特色を含んだ画像データが作成できる。
【０００４】
以上述べたとおり、特色を含んだ画像データが扱われるようになっているが、現在使用されているＭＦＰがすべて特色に対応しているとは限らない。すなわち、特色トナーに対応可能なＭＦＰと、対応不可能な従来のＣ、Ｍ、Ｙ、Ｋ、４色で構成されているＭＦＰとが混在するネットワーク上に印刷ジョブが投入されることも十分にあり得る。その結果、特色に対応していないＭＦＰで特色を含んだ画像データを印刷出力する際にも、必要のない特色用のレンダリングなどを行うことになり非効率的である、という問題が生じる。こうした課題に対して、特許文献１において、印刷前に特色を扱うか否かを判断し、特色用レンダリングを行うか、従来の４色用レンダリングを行うかを決定する方法が開示されている。
【０００５】
【特許文献１】特開２００８−０２８９１７号公報
【発明の開示】
【発明が解決しようとする課題】
【０００６】
近年では、ＭＦＰの記憶部に保存されている画像データをネットワーク上に繋がっているどのＭＦＰからでも印刷出力できる環境が整ってきている。このような環境下では、特色印刷を行ったＭＦＰ内部に保存された画像データを、特色印刷に対応していないＭＦＰで印刷しようとする場合に上記特許文献１記載の技術では対応できない。ＭＦＰの記憶部に保存される画像データは、特色用のレンダリングが終了してしまっているためである。したがって、特色用のレンダリング処理がなされた後の画像データでは、従来の４色搭載のＭＦＰを印刷先として指定しても、適切に印刷することはできなかった。すなわち、そもそも印刷することができないか、仮に４色のみで印刷を行ったとしても、特色処理が施された個所は、正しく色を再現できないという課題があった。
【０００７】
本発明の目的は、特色用のレンダリングが終了した画像データの印刷先として、特色印刷に対応していないＭＦＰが指定されても、不具合のない画質で画像データを印刷する技術を提供することにある。
【課題を解決するための手段】
【０００８】
本発明は、上記の課題を解決するために、以下の構成を備える。
【０００９】
本発明の画像形成装置は、ネットワークに接続され、特色印刷の機能を有し、特色画像データ及び４色画像データを生成する手段と、特色画像データと４色画像データとを用いて特色画像データのＣＭＹＫ版の画素値と４色画像データの画素値の差分情報を抽出する差分抽出手段と、特色画像データと差分情報とを記憶する記憶手段と、ネットワークを介して他の画像形成装置で印刷する際に他の画像形成装置が特色印刷の機能を有するか否かを判断する判断手段と、判断手段により他の画像形成装置が特色印刷の機能を有さないと判断された場合に、記憶手段に記憶されている特色画像データと差分情報を利用して４色画像データを復元する画像データ復元手段と、他の画像形成装置に復元された４色画像データを送信する画像データ送信手段とを備える。
【００１０】
また、好ましくは、差分抽出手段が抽出する差分情報には、特色トナーの種類に関する情報を含み、画像データ復元手段は、さらに差分情報から特色トナーに関する情報を抽出して特色トナー情報を生成し、画像データ送信手段は、復元された４色画像データと特色トナー情報を他の画像形成装置に送信する。
【００１１】
また、好ましくは、画像データ送信手段は、判断手段により他の画像形成装置が特色印刷の機能を有すると判断された場合に、特色画像データのみを他の画像形成装置に送信する。
【００１２】
あるいは、上記の課題を解決する手段として、以下の構成を備える。即ち、ネットワークに接続される特色印刷の機能を有する画像形成装置において、ユーザの指示を受け取るユーザインターフェース手段と、ユーザインターフェース部を介して指定された画像デザインに基づく特色トナー印字位置情報及び４色画像データを生成する手段と、４色画像データと特色トナー印字位置情報とを記憶する手段と、ネットワークを介して他の画像形成装置で印刷する際に他の画像形成装置が特色印刷の機能を有するか否かを判断する判断手段と、判断手段により他の画像形成装置が特色印刷の機能を有さないと判断された場合に、４色画像データを送信し特色トナー印字位置情報は送信しない画像データ送信手段とを備える。
【００１３】
また、好ましくは、上記のいずれかの画像形成装置を少なくとも１つ備えたネットワークプリンティングシステムである。
【００１４】
また、本発明の画像形成装置の制御方法は、上記の課題を解決する手段として、以下の構成を備える。即ち、ネットワークに接続される特色印刷の機能を有する画像形成装置の制御方法において、特色画像データ及び４色画像データを生成するステップと、特色画像データと４色画像データとを用いて特色画像データのＣＭＹＫ版の画素値と４色画像データの画素値の差分情報を抽出する差分抽出ステップと、特色画像データと差分情報とを記憶する記憶ステップと、ネットワークを介して他の画像形成装置で印刷する際に他の画像形成装置が特色印刷の機能を有するか否かを判断する判断ステップと、判断ステップにより他の画像形成装置が特色印刷の機能を有さないと判断された場合に、記憶ステップに記憶されている特色画像データと差分情報を利用して４色画像データを復元する画像データ復元ステップと、他の画像形成装置に復元された４色画像データを送信する画像データ送信ステップとを備える。
【００１５】
また、好ましくは、差分抽出ステップが抽出する差分情報には、特色トナーの種類に関する情報を含み、画像データ復元ステップは、さらに差分情報から特色トナーに関する情報を抽出して特色トナー情報を生成し、画像データ送信ステップは、復元された４色画像データと特色トナー情報を他の画像形成装置に送信する。
【００１６】
また、好ましくは、画像データ送信ステップは、判断ステップにより他の画像形成装置が特色印刷の機能を有すると判断された場合に、特色画像データのみを他の画像形成装置に送信する。
【００１７】
あるいは、上記の課題を解決する手段として、以下の構成を備える。即ち、ネットワークに接続される特色印刷の機能を有する画像形成装置の制御方法において、ユーザの指示を受け取るステップと、ユーザインターフェース部を介して指定された画像デザインに基づく特色トナー印字位置情報及び４色画像データを生成するステップと、４色画像データと特色トナー印字位置情報とを記憶するステップと、ネットワークを介して他の画像形成装置で印刷する際に他の画像形成装置が特色印刷の機能を有するか否かを判断する判断ステップと、判断ステップにより他の画像形成装置が特色印刷の機能を有さないと判断された場合に、４色画像データを送信し特色トナー印字位置情報は送信しない画像データ送信ステップとを備える。
【００１８】
さらに、本発明のコンピュータプログラムは、コンピュータに、上記の方法を実行させる。
【００１９】
そして、本発明のコンピュータ読み取り可能な記録媒体は、コンピュータに、上記の方法を実行させるためのプログラムを記録する。
【発明の効果】
【００２０】
本発明によれば、出力先の画像形成装置が特色印刷の機能を有していない場合をも考慮して、画像形成装置の種類に応じて最適な画質になるように、画像データを自動的に保存することが可能である。したがって、特色印刷に対応した画像形成装置と特色印刷に対応していない画像形成装置が混在するネットワークプリンティングにおいて、ユーザが画像形成装置のタイプを意識する必要がなくなる。
【発明を実施するための最良の形態】
【００２１】
［実施形態１］
本発明の実施形態１を図面に基づいて説明する。  
実施形態１では、特色トナーを実装したＭＦＰ１０２内の記憶部に特色用のレンダリング後の画像データが保存され、その画像データを特色トナーを実装していない通常用ＭＦＰ１０３で印刷出力するという場合を例に、説明することとする。（以下、本明細書において、特色印刷の機能を有する特色トナーを実装したＭＦＰ１０２を単に「実装ＭＦＰ１０２」といい、特色印刷の機能を有さない特色トナー非実装のＭＦＰ１０３を「非実装ＭＦＰ１０３」という。）
なお、本明細書中に記載の画像データの圧縮、解凍を行う技術に関しては、特に限定はなく、ＪＰＥＧのような公知の技術が使用可能である。
【００２２】
（画像形成装置）
図１は、画像形成装置を用いたネットワークプリンティングシステムの一例を示すブロック図である。  
オフィス１０内に構築されたＬＡＮ１０４には、実装ＭＦＰ１０２と非実装ＭＦＰ１０３とホストコンピュータ１０１が接続されている。実装ＭＦＰ１０２および非実装ＭＦＰ１０３は、ホストコンピュータ１０１からＬＡＮ１０４を介して送信されるＰａｇe  Ｄｉｓｃｒｉｐｔｉｏｎ  Ｌａｎｇｕａｇｅ（以下、ＰＤＬ）言語を解釈し、レンダリングされた画像データを印刷することが可能である。また、実装ＭＦＰ１０２内部にある記憶部に保存されている画像データをＬＡＮ１０４を介して非実装ＭＦＰ１０３に送信し、印刷することも可能である。
【００２３】
（ホストコンピュータ）
図２は、ホストコンピュータ１０１の構成を示す図である。  
画像データは、アプリケーション２０１上で特色を使用して作成されたもの（以下、「アプリデータ」という）を例として説明する。ユーザによりアプリデータをＭＦＰ内部の記憶部で保存する旨の指示を受けたプリンタドライバＵＩ部２０２は、その旨をプリンタドライバ２０３に伝える。プリンタドライバ２０３では、アプリデータをＰＤＬデータに変換する。ＰＤＬの例としては、ＬＩＰSやＰＳが挙げられる。作成されたＰＤＬデータが送信部２０４に送られると、実装ＭＦＰ１０２に対してＰＤＬデータが送信される。
【００２４】
（ＭＦＰ）
図３は、ＭＦＰの構成を示す図であり、ＰＤＬ処理部３０１、記憶処理部３０２、記憶部３０３、ＵＩ部３０４、画像処理部３０５、印刷部３０６、出力処理部３０７で構成されている。
【００２５】
図４は、図３のＰＤＬ処理部３０１の構成を示す図であり、受信部４０１、前解析部４０２、特色−４色変換部４０３、ＰＤＬ解析部４０４、中間言語展開部４０５、圧縮処理部４０６、送信部４０７で構成されている。
【００２６】
図６は、図３の記憶処理部３０２の構成を示す図であり、解凍処理部６０１、記憶ジョブ情報受信／解析部６０２、差分抽出処理部６０３、圧縮処理部６０４、送信部６０５、差分情報付与部６０６で構成されている。
【００２７】
図７は、図３の出力処理部３０７の構成を示す図であり、解凍処理部７０１、出力ジョブ情報受信／解析部７０２、差分情報復元部７０３、圧縮処理部７０４、送信部７０５で構成されている。
【００２８】
図１０は、図３の画像処理部３０５の構成を示す図であり、解凍処理部１００１、色処理部１００２、画像形成処理部１００３、送信部１００４で構成されている。
【００２９】
図５、図８、図９、図１１は、実施形態１に係る画像形成装置を構成する各部の処理概要を説明するフローチャートであり、図５がＰＤＬ処理部３０１、図８が記憶処理部３０２、図９が出力処理部３０７、図１１が画像処理部３０５に対応している。
【００３０】
図２２は、ユーザインターフェースとしてＵＩ部３０４のパネル画面に表示される画面の一例である。本実施形態では、ホストコンピュータの送信部２０４から送信されたＰＤＬデータは、実装ＭＦＰ１０２のＰＤＬ処理部３０１内の受信部４０１で受信されるものとして、以下説明する。
【００３１】
（ＰＤＬ処理部の説明）
まず、実装ＭＦＰ１０２のＰＤＬ処理部３０１について、その構成を示した図４及びその処理フローを示した図５を用いて説明する。
【００３２】
最初に前解析部４０２は、受け取ったＰＤＬデータについて特色処理が必要か否かを判断するために必要な情報をＰＤＬデータのヘッダ情報から収集する（Ｓ５０１）。
【００３３】
そして、ヘッダ情報から収集した情報に基づいて、特色処理が必要か否かを判断する（Ｓ５０２）。判断の結果、特色処理が必要な場合には、Ｓ５０３へと進む。Ｓ５０３において、ＰＤＬ解析部４０４は、ＰＤＬデータに対して特色ＰＤＬデータ解析を行い、中間言語（特色中間データ）を生成する。
【００３４】
次に、Ｓ５０４において、中間言語展開部４０５は、中間言語（特色中間データ）をレンダリングし、特色画像データを生成する。生成された特色画像データに対して、圧縮処理部４０６は、特色画像データを圧縮し、特色圧縮データを生成する（Ｓ５０５）。
【００３５】
次に、Ｓ５０６において、特色−４色変換部４０３は、特色を４色に変換する。この変換処理は、あらかじめ登録されている特色−４色のルックアップテーブルを利用して行われ、４色のＰＤＬデータが作成される。
【００３６】
そして、Ｓ５０7において、ＰＤＬ解析部４０４は、４色ＰＤＬデータの解析を行い、中間言語（４色中間データ）を生成する。
【００３７】
次に、Ｓ５０８において、中間言語展開部４０５は、中間言語（４色中間データ）をレンダリングし、４色画像データを生成する。生成された４色画像データに対して、圧縮処理部４０６は、４色画像データを圧縮し、４色圧縮データを生成する（Ｓ５０９）。
【００３８】
そして、特色圧縮データと４色圧縮データが、送信部４０７から実装ＭＦＰ１０２の記憶処理部３０２内の解凍処理部６０１に向けて送信される（Ｓ５１０）。さらに、特色処理が必要か否かの情報がジョブ情報として、実装ＭＦＰ１０２の記憶処理部３０２の記憶ジョブ情報受信／解析部６０２に向けて送信される。
【００３９】
先のＳ５０２において、特色処理が不要であると判断された場合には、Ｓ５０２からＳ５０７へと進み、順次、Ｓ５１０までの処理を行う。すなわち、受信した４色ＰＤＬデータを解析して４色中間データを生成し（Ｓ５０７）、レンダリングし（Ｓ５０８）、圧縮され（Ｓ５０９）た４色圧縮画像データが記憶処理部３０２に送信される（Ｓ５１０）。
【００４０】
（記憶処理部の説明）
次に、実装ＭＦＰ１０２の記憶処理部３０２について、その構成を示した図６及び処理フローを示した図８を用いて説明をする。
【００４１】
実装ＭＦＰ１０２の記憶処理部３０２は、ＰＤＬ処理部３０１で生成された圧縮データを記憶部３０３に記憶して保存する際に必要となる処理を行うモジュールである。
【００４２】
この処理では、まず、記憶ジョブ情報受信／解析部６０２が、今から処理するデータに特色圧縮データがあるか否かを判断する（Ｓ８０１）。特色圧縮データありと判断されれば、解凍処理部６０１は、特色圧縮データと４色圧縮データの両方を解凍し、特色画像データと４色画像データを得る（Ｓ８０２）。
【００４３】
次に、差分抽出処理部６０３は、両画像データを用いて特色画像データのＣＭＹＫ版の画素値と４色画像データの画素値との差分を抽出する（Ｓ８０３）。抽出された差分情報に基づいて、差分情報付与部６０６は、特色画像データに差分情報を付与する（Ｓ８０４）。
【００４４】
なお、Ｓ８０４において、差分情報は全ての画素に付与してもよいし、特色が載っている画素のみに付与してもよい。特色が載っている画素のみに４色画像データとの差分情報を持たせる場合、画像データの記憶サイズの増加を最小限にとどめることができる。
【００４５】
次に、Ｓ８０５において、圧縮処理部６０４は、特色画像データと差分情報を一緒に圧縮し、特色圧縮データを生成する。その際に、４色画像データは不要となるため破棄する。  
最後に、送信部６０５は、生成された特色圧縮データを、実装ＭＦＰ１０２の記憶部３０３に送信する（Ｓ８０６）。
【００４６】
Ｓ８０１において、特色圧縮データがない場合には、４色圧縮データに対して何等の処理もせず、送信部６０５は、ＰＤＬ処理部から受信した４色圧縮データをそのまま実装ＭＦＰ１０２の記憶部３０３に送信する。
【００４７】
以上のような処理が施されたデータが、記憶部３０３に記憶され保存される。
【００４８】
（出力処理部の説明）
次に、実装ＭＦＰ１０２の出力処理部３０７についてその構成を示した図７、処理フローを示した図９を用い、さらにＭＦＰのパネル画面の一例を示した図２２を参照しつつ説明する。
【００４９】
実装ＭＦＰ１０２の出力処理部３０７は、実装ＭＦＰ１０２の記憶部３０３に保存されている圧縮データを他のＭＦＰで印刷出力する際に必要となる処理を行うモジュールである。
【００５０】
この処理では、まず、ユーザが、記憶部３０３に保存されているジョブをパネル画面中の保存文書リスト２２０１（図２２）から選択する。続いてどのＭＦＰで印刷するかを印刷先リスト２２０２（図２２）で選択すると、選択されたジョブと印刷先の情報が記憶部３０３に送信される。
【００５１】
本実施形態では、ユーザによって指定された印刷先が、非実装ＭＦＰ１０３であった場合について先に説明し、その後に、印刷先が実装ＭＦＰ１０２であった場合について説明することとする。
【００５２】
まず、ＵＩ部３０４からの情報を受け取った記憶部３０３は、保存文書リスト２２０１からユーザによって選択されたジョブを出力処理部３０７に送信する。
【００５３】
そして、出力処理部３０７の出力ジョブ情報受信／解析部７０２は、出力先のＭＦＰが特色印刷の機能を有さない非実装ＭＦＰ１０３か、特色印刷の機能を有する特色トナーを用いた実装ＭＦＰ１０２かを判断する（Ｓ９０１）。このようにネットワークを介して他の画像形成装置に印刷する際に、当該他の画像形成装置が特色印刷の機能を有しているか否かが判断される。その結果、特色印刷が不可能な非実装ＭＦＰ１０３での印刷出力の場合には、Ｓ９０２へと進む。
【００５４】
Ｓ９０２において、解凍処理部７０１は、当該ジョブの特色圧縮データを解凍し、解凍によって得られた特色画像データと差分情報を差分情報復元部７０３に送信する。差分情報復元部７０３は、出力先が非実装ＭＦＰであるために不要な特色版のデータを特色画像データから破棄する（Ｓ９０３）。
【００５５】
そして、Ｓ９０４において、特色版のデータが破棄された残りの４色のデータ（ＣＭＹＫ版）の画素値に差分情報の画素値を加算し、４色画像データを復元する。この４色画像データは、差分情報の画素値が加算されていることから、４色出力の非実装ＭＦＰ１０３での印刷出力において最適な画像を再現することが可能となる。
【００５６】
そして、圧縮処理部７０４は、復元された４色画像データを圧縮し、４色圧縮データを生成する（Ｓ９０５）。
【００５７】
最後に、送信部７０５は、４色圧縮データを非実装ＭＦＰ１０３の画像処理部３０５内の解凍処理部１００１に送信する（Ｓ９０８）。
【００５８】
Ｓ９０１において、出力ジョブ情報受信／解析部７０２が特色印刷の機能を有する実装ＭＦＰ１０２での印刷出力と判断した場合には、Ｓ９０２と同様の解凍処理が行われた後（Ｓ９０６）、差分情報復元部７０３で、差分情報だけが破棄される（Ｓ９０７）。
【００５９】
そして、圧縮処理部７０４は、差分情報が破棄された特色画像データを圧縮し、特色圧縮データが生成される（Ｓ９０５）。
【００６０】
最後に、送信部７０５は、生成された特色圧縮データを実装ＭＦＰ１０２の画像処理部３０５内の解凍処理部１００１に送信する（Ｓ９０８）。
【００６１】
（画像処理部の説明）
次に、実装ＭＦＰ１０２の出力処理部から圧縮された4色画像データ（4色圧縮データ）を受け取った非実装ＭＦＰ１０３の画像処理部３０５について、その構成を示した図１０及び処理フローを示した図１１を用いて説明をする。
【００６２】
非実装ＭＦＰ１０３の画像処理部３０５は、解凍処理部１００１、色処理部１００２、画像形成処理部１００３及び送信部１００４で構成されている。  
まず、Ｓ１１０１において、解凍処理部１００１は、４色圧縮データを解凍する。
【００６３】
次に、色処理部１００２は、解凍により得られた４色画像データについて、非実装ＭＦＰの印刷出力に最適なガンマ特性を施したり、濃度を調整するといった色処理を行う（Ｓ１１０２）。
【００６４】
次に、画像形成処理部１００３は、スクリーン処理や誤差拡散処理といった画像形成処理を行う（Ｓ１１０３）。
【００６５】
そして、送信部１００４は、印刷部３０６に画像形成処理が施された印刷データを送信する（Ｓ１１０４）。
【００６６】
印刷データを受け取ったＭＦＰ１０３の印刷部３０６は、当該印刷データに従ってＣＭＹＫの４色で印刷する。
【００６７】
次に、印刷先が実装ＭＦＰ１０２であった場合の実装ＭＦＰ１０２の画像処理部３０５について簡単に説明する。
【００６８】
実装ＭＦＰの画像処理部３０５においては、上記で説明した非実装ＭＦＰ１０３の画像処理部３０５が行う４色画像データに対する処理に加えて特色版のデータに対しても各処理が行われる点を除いて、基本的に同じである。すなわち、４色画像データと特色版のデータ双方について、色処理部１００２は色処理を行い、画像形成処理部１００３は画像形成処理を行う。そして、送信部１００４は印刷部３０６に画像形成処理が施された印刷データを送信し、印刷部３０６は、当該印刷データに従ってＣＭＹKと特色版で印刷する。
【００６９】
以上のように、実施形態１においては、特色用のレンダリングが行われた画像データを実装ＭＦＰ１０２内に保存する際に、４色用のレンダリングの結果と比較し、特色画像データのＣＭＹＫ版の画素値と４色画像データの画素値との差分を抽出する。そして、これを差分情報として画像データとともに保持することにより、次に同じデータを特色に対応していないプリンタで印刷出力する場合においても、特色が使用されている箇所について差分情報を利用することで不具合のない印刷をすることが可能となる。
【００７０】
［実施形態２］
実施形態１では、特色画像データをＣＭＹＫの４色で印刷する際に、違和感なく印刷再現できるよう、特色画像データが持つＣＭＹＫ版の画素値のみを４色印刷時と同様に復元していた。
【００７１】
実施形態２では、特色トナーの特性も再現できるようにする。ここでは、特色トナーが淡マゼンタトナーの場合を例に説明する。淡マゼンタトナーには、ハイライト部を滑らかに再現することができるという特徴がある。
【００７２】
図１２は、本実施形態に係る図３に示されたＭＦＰの画像処理部３０５の構成を示す図であり、解凍処理部１００１、色処理部１００２、画像形成処理部１００３、送信部１００４、トナー特性情報解析部１２０１で構成されている。
【００７３】
図１３、図１４、図１５は、本実施形態に係る画像形成装置を構成する各部の処理概要を説明するフローチャートであり、図１３が記憶処理部３０２、図１４が出力処理部３０７、図１５が画像処理部３０５に対応している。
【００７４】
実施形態２では、実装ＭＦＰ１０２の記憶部３０３に圧縮データを保存する場合の実装ＭＦＰ１０２の記憶処理部３０２における処理の説明から始める。
【００７５】
（記憶処理部の説明）
まず、記憶処理部３０２内の記憶ジョブ情報受信／解析部６０２は、今から保存処理するデータに特色圧縮データがあるか否かを判断する（Ｓ１３０１）。
【００７６】
そして、特色圧縮データがある場合には、解凍処理部６０１は、特色圧縮データと４色圧縮データを解凍し、特色画像データと４色画像データを得る（Ｓ１３０２）。
【００７７】
次に、差分抽出処理部６０３は、両画像データから特色画像データのＣＭＹＫ版の画素値と４色画像データの画素値の差分を抽出し、差分情報を得る（Ｓ１３０３）。さらに、差分抽出処理部６０３は、特色トナーに何が使用されていたかについても情報も抽出し、特殊トナーの種類情報を差分情報に追加する（Ｓ１３０４）。本実施形態で言えば、特色トナーは淡マゼンタトナーであるから、淡マゼンタトナーである旨の情報が追加される。
【００７８】
このようにして抽出された差分情報を、差分情報付与部６０６は、特色画像データに付与する（Ｓ１３０５）。
【００７９】
次に、Ｓ１３０６において、圧縮処理部６０４は、特色画像データと差分情報を圧縮し、特色圧縮データを生成する。この際、4色画像データは破棄される。
【００８０】
最後に、送信部６０５は、生成された特色圧縮データを実装ＭＦＰ１０２の記憶部３０３に送信する（Ｓ１３０７）。
【００８１】
Ｓ１３０１において、特色画像データがない場合にはＳ１３０７へと進み、４色圧縮データに対し何等の処理もせず、送信部６０５は、実装ＭＦＰ１０２記憶部３０３に送信する。
【００８２】
（出力処理部の説明）
次に、実装ＭＦＰ１０２の記憶部３０３に保存されている画像データを他のＭＦＰで印刷出力する場合の処理について図１４のフローチャートを参照しつつ説明する。
【００８３】
なお、図１４のフローチャートに示された各ステップのうち、先に説明した実施形態１の図９のフローチャートのステップと共通する部分については詳細な説明を省略することとする。
【００８４】
まず、ユーザが、実装ＭＦＰ１０２の記憶部３０３に保存されているジョブを保存文書リストから選択する。そして、どのＭＦＰで印刷するかを印刷先リストから選択すると、選択されたジョブと印刷先の情報が記憶部３０３に送信される。
【００８５】
本実施形態でも、実施形態１と同様、印刷先が、非実装ＭＦＰ１０３であった場合について先に説明し、その後に、実装ＭＦＰ１０２であった場合について説明する。
【００８６】
図１４のS１４０１からS１４０４の内容は、既に説明した図9のS９０１からS９０４の内容と同じである。簡潔に説明すると、まず、特色印刷の機能を有する実装ＭＦＰ１０２での印刷出力か否かが判断される（Ｓ１４０１）。特色印刷の機能を有さない非実装ＭＦＰ１０３での印刷と判断された場合、解凍処理部７０１で特色圧縮データが解凍され（１４０２）、解凍により得られた特色画像データと差分情報が差分情報復元部７０２に送信される。差分情報復元部７０２では、特色画像データの特色版のデータを破棄し（Ｓ１４０３）、４色の画素値に差分情報の画素値を加算して４色画像データが復元される（Ｓ１４０４）。
【００８７】
本実施形態では、差分情報復元部７０３は、さらに、差分情報から特色トナーの種類に関する情報を抽出し、特色トナー情報を生成する（Ｓ１４０５）。
【００８８】
そして、復元された４色画像データと特色トナー情報に対して、圧縮処理部７０４は、圧縮処理を行い、４色圧縮データを生成する（Ｓ１４０６）。
【００８９】
このようにして圧縮された４色圧縮データを、送信部７０５は、非実装ＭＦＰ１０３の画像処理部３０５内の解凍処理部１００１に送信する（Ｓ１４０９）。
【００９０】
Ｓ１４０１において、実装ＭＦＰ１０２での印刷出力と判断された場合には、解凍処理がなされた後（Ｓ１４０７）、差分情報復元部７０３によって、特色画像データから差分情報が破棄される（Ｓ１４０８）。そして、差分情報が破棄された特色画像データは圧縮処理部７０４で圧縮されて特色圧縮データが生成され（Ｓ１４０６）、送信部７０５から、解凍処理部１００１に送信される（Ｓ１４０９）。
【００９１】
（画像処理部の説明）
次に、図１２を参照しつつ非実装ＭＦＰ１０３の画像処理部３０５の説明をする。ここでも、図1５のフローチャートのうち、先に説明した実施形態１の図１１のフローチャートと共通する処理についてはその詳細を省略することとする。
【００９２】
まず、解凍処理部１００１で、特色圧縮データが解凍される（Ｓ１５０１）。
【００９３】
そして、トナー特性情報解析部１２０１は、解凍された情報について、4色画像データの他に特色トナー情報を持っているか否かの判断を行う（Ｓ１５０２）。
【００９４】
その結果、特色トナー情報を持っていた場合には、トナー特性情報解析部１２０１は、特色トナー情報から特色トナーの視覚的効果を出すための画像処理の内容を決定し、画像処理係数を創出する（Ｓ１５０３）。この画像処理の内容は、特色トナー毎にどのような画像処理を施すかをあらかじめ対応付けておくことで、特色トナー情報から特色トナーが特定されるとそれに応じた画像処理の内容が決定される。例えば、本実施形態の場合、特色トナーは淡マゼンタトナーであり、淡マゼンタトナーの視覚的な特性としては、通常、滑らかさである。よって、淡トナーに対しては、スムージングを通常より強めに処理するようにあらかじめ対応付けられる。このようにあらかじめ設定された画像処理内容に従って、トナー特性情報解析部１２０１は、画像形成処理部１００３に対して指示を行う。本実施形態であれば、淡マゼンタトナーに応じたスムージング処理を通常よりも強めに施すような指示がなされる。
【００９５】
その後の処理は、図１１のＳ１１０２以下の処理とほぼ同様である。
【００９６】
すなわち、色処理部１００２は、最適なガンマ特性や濃度調整といった色処理を行う（Ｓ１５０４）。そして、画像形成処理部１００３は、スクリーン処理や誤差拡散処理の画像形成処理を行い（Ｓ１５０５）、併せて、トナー特性情報解析部１２０１からの指示に基づいたスムージング処理を行う。そして、送信部１００４から、印刷部３０６に画像形成処理が施された印刷データが送信される（Ｓ１５０６）。
【００９７】
データを受け取った非実装ＭＦＰ１０３の印刷部３０６は、画像形成処理が施された印刷データをＣＭＹKの４色で印刷する。
【００９８】
ＭＦＰ１０２の画像処理部３０５については、実施形態１と同様であり、説明を省略する。
【００９９】
以上、説明したように実施形態２においては、実施形態１の内容に加えて、特色トナーの視覚的な特徴までも再現することが可能となる。
【０１００】
［実施形態３］
実施形態１、実施形態２では、特色版のデータを含む画像データを使用したが、実施形態３では、常にＣＭＹＫ版の４色画像データを使用する。
【０１０１】
図１６は、本実施形態に係る図３のＰＤＬ処理部３０１の構成を示す図であり、受信部４０１、前解析部４０２、ＰＤＬ解析部４０４、中間言語展開部４０５、圧縮処理部４０６、送信部４０７、特色トナー印字位置情報生成部１６０１で構成されている。
【０１０２】
図１７は、本実施形態に係る図３の出力処理部３０７の構成を示す図であり、解凍処理部７０１、出力ジョブ情報受信／解析部７０２、差分情報復元部７０３、圧縮処理部７０４、送信部７０５、特色トナー印字情報処理部１７０１で構成されている。
【０１０３】
図１８は、本実施形態に係る図３の画像処理部３０５の構成を示す図であり、解凍処理部１００１、色処理部１００２、画像形成処理部１００３、送信部１００４、トナー特性情報解析部１２０１、特色生成部１８０１で構成されている。
【０１０４】
図１９、図２０、図２１は、本実施形態に係る画像形成装置を構成する各部の処理概要を説明するフローチャートであり、図１９がＰＤＬ処理部３０１、図２０が出力処理部３０７、図２1が画像処理部３０５に対応している。
【０１０５】
図２３は、ホストコンピュータ１０１の画面上に表示される画面の一例である。本実施形態でも、ホストコンピュータの送信部２０４から送信されたＰＤＬデータが、実装ＭＦＰ１０２のＰＤＬ処理部３０１内の受信部４０１で受信されたものとして以下説明する。
【０１０６】
まず、実装ＭＦＰ１０２のＰＤＬ処理部３０１について、その構成を説明した図１６及びその処理フローを示した図１９を用いて説明する。
【０１０７】
（ＰＤＬ処理部の説明）
S１９０１及びS１９０２は、既に説明した図５のS５０１及びS５０２と同じである。簡潔に説明すると、前解析部４０２が、受け取ったＰＤＬデータが特色処理を要するか否かを判断するために必要な情報を収集し（Ｓ１９０１）、その情報に基づいて、特色処理が必要か否かを判断する（Ｓ１９０２）。
【０１０８】
特色処理が必要と判断された場合には、次に、特色版で印字する場合の画像デザイン（図２３の２３０１を参照）のユーザによる指定が入力される（１９０３）。これは、ユーザの様々な指示を受け取る実装ＭＦＰ１０２のＵＩ部３０４に備わったインターフェースとしてのパネル画面などを通じて行う。
【０１０９】
このようにして、実装ＭＦＰ１０２のＵＩ部３０４を介して、指定された画像デザインの情報が特色トナー印字位置情報生成部１６０１に送信される（図１９のフローチャートでは省略）。
【０１１０】
そして、特色トナー印字位置情報生成部１６０１は、ユーザの指定した画像デザインに基づき、特色トナーを印字する画素を「１」、印字しない画素を「０」とする２値の特色トナー印字位置情報を生成する（Ｓ１９０４）。
【０１１１】
Ｓ１９０５及び１９０６は、既に説明した図５のS５０７及びS５０８と同じである。簡潔に説明すると、ＰＤＬ解析部４０４で、４色ＰＤＬデータが解析されて中間言語（４色中間データ）が生成され（Ｓ１９０５）、続いて中間言語展開部４０５で、中間言語がレンダリングされて４色画像データが生成される（Ｓ１９０６）。
【０１１２】
そして、圧縮処理部４０６は、生成された４色画像データと特色トナー印字位置情報を圧縮し、４色圧縮データを生成する（Ｓ１９０７）。
【０１１３】
そして、送信部４０７は、４色圧縮データを記憶処理部３０２の解凍処理部６０１に送信し（Ｓ１９０８）、さらに、特色処理が必要か否かの情報をジョブ情報として、記憶処理部３０２の記憶ジョブ情報受信／解析部６０２に送信する。
【０１１４】
本実施形態の場合にも実施形態２と同様、４色圧縮データは、実装ＭＦＰ１０２内の記憶処理部３０２において特色トナーの種類情報が付加されて、実装ＭＦＰ１０２内部の記憶部３０３に保存される。すなわち、記憶処理部３０２内の差分抽出処理部６０３で、特色トナーに何が使用されていたかについての情報が抽出され、特殊トナーの種類情報が差分情報として追加された４色画像データが記憶部３０３に保存される。
【０１１５】
Ｓ１９０２において、前解析部４０２が特色の処理不要と判断した場合には、Ｓ１９０５からＳ１９０８までの各処理が４色データのみに対して行われる。  
【０１１６】
（出力処理部の説明）
次に、実装ＭＦＰ１０２の記憶部３０３に保存された画像データを他のＭＦＰで印刷出力する場合の処理について、図２０のフローチャートを参照しつつ説明する。
【０１１７】
本実施形態でも、実施形態１及び２と同様、印刷先が非実装ＭＦＰ１０３であった場合について先に説明し、その後に、印刷先が実装ＭＦＰ１０２であった場合について説明することとする。
【０１１８】
まず、実装ＭＦＰ１０２のＵＩ部３０４からの情報を受けた実装ＭＦＰ１０２の記憶部３０３は、出力処理部３０７に保存文書リスト２２０１から選択されたジョブを送信する。
【０１１９】
そして、出力処理部３０７の出力ジョブ情報処理／解析部７０２は、受け取ったジョブの印刷出力が、非実装ＭＦＰ１０３か実装ＭＦＰ１０２かを判断する（Ｓ２００１）。
【０１２０】
その結果、非実装ＭＦＰ１０３での印刷出力の場合には、解凍処理部７０１は、４色圧縮データを解凍し（Ｓ２００２）、解凍により得られた特色トナー印字位置情報を特色トナー印字情報処理部１７０１に送信する。続いて、特色トナー印字情報処理部１７０１は、特色トナー印字位置情報を破棄する（Ｓ２００３）。
【０１２１】
そして、画像圧縮部７０４は、４色画像データと特色トナーの種類情報を圧縮し、４色圧縮データを生成する（Ｓ２００４）。
【０１２２】
最後に、送信部７０５は、生成された４色圧縮データを、非実装ＭＦＰ１０３の画像処理部３０５内の解凍処理部１００１に送信する（Ｓ２００５）。
【０１２３】
Ｓ２００１において、出力ジョブ情報処理／解析部７０２が実装ＭＦＰ１０２での印刷出力と判断した場合には、Ｓ２００５へと進み、送信部７０５は、４色圧縮データを実装ＭＦＰ１０２の画像処理部３０５に送信する。
【０１２４】
（画像処理部の説明）
次に、非実装ＭＦＰ１０３の画像処理部３０５の説明となるが、その処理は、実施形態２と同様の動作となるのでその説明を省略し、実装ＭＦＰ１０２の画像処理部３０５の説明を図２１のフローチャートを参照しつつ行うこととする。
【０１２５】
最初に、４色圧縮データを受信した実装ＭＦＰ１０２の画像処理部３０５は、解凍処理部１００１において、４色圧縮データを解凍する（Ｓ２１０１）。
【０１２６】
そして、色処理部１００２は、解凍により得られた４色画像データについて実施形態１あるいは２で既に説明したような色処理を行う（Ｓ２１０２）。
【０１２７】
そして、特色生成部１８０１は、色処理が終了した画像データについて、４次元のルックアップテーブルを使用し、特色トナー印字量を生成する特色作成処理を行う（Ｓ２１０３）。その際に特色トナー印字位置情報を利用し、この情報に「１」が立っている画素には、上記特色トナー印字量を生成するが、「０」の場合には、その画素には、何も処理しない。
【０１２８】
続いて、画像形成処理部１００３は、実施形態１あるいは２で既に説明したような画像形成処理を行う（Ｓ２１０４）。
【０１２９】
そして、送信部１００４は、印刷部３０６に画像形成処理が施された印刷データを送信する（Ｓ２１０５）。
【０１３０】
印刷データを受信した実装ＭＦＰ１０２の印刷部３０６は、当該印刷データに従ってＣＭＹKと特色版で印刷する。
【０１３１】
以上説明したように実施形態３においては特色画像データを使用しないために、実施形態１に比べ、画像データの容量をさらに小さくすることが可能となる。
【０１３２】
［その他の実施の形態］
以上のとおり、本発明の上記各実施形態で説明した特色印刷の機能を有するＭＦＰは、ネットワークを介して1つ以上の特色印刷の機能を有さないＭＦＰと相互に接続されているネットワークプリンティングシステムとして利用される場合を想定している。さらに、本発明は、上記各実施形態で説明したＭＦＰの各処理を制御する方法の発明として捉えることも可能である。
【０１３３】
また、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【０１３４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１３５】
その場合、プログラムの機能を有していれば、オブジェクトコード、インタプリタにより実行されるプログラム、ＯＳに供給するスクリプトデータ等の形態であっても良い。
【０１３６】
プログラムを供給するための記録媒体としては、例えば、フロッピー（登録商標）ディスク、ハードディスク、光ディスクがある。また、更に、記録媒体としては、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１３７】
その他、プログラムの供給方法としては、クライアントコンピュータのブラウザを用いてインターネットのホームページに接続する。そして、その接続先のホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１３８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１３９】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行ない、その処理によっても前述した実施形態の機能が実現され得る。
【０１４０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１４１】
【図１】本発明にかかる画像形成装置を用いたネットワークプリンティング環境の一例を示すブロック図である。
【図２】ホストコンピュータの構成を示すブロック図である。
【図３】ＭＦＰの構成を示すブロック図である。
【図４】ＰＤＬ処理部の構成を示すブロック図である
【図５】ＰＤＬ処理部における処理の概要を示すフローチャートである。
【図６】記憶処理部の構成を示すブロック図である。
【図７】出力処理部の構成を示すブロック図である。
【図８】記憶処理部における処理の概要を示すフローチャートである。
【図９】出力処理部における処理の概要を示すフローチャートである。
【図１０】画像処理部の構成を示すブロック図である。
【図１１】画像処理部における処理の概要を示すフローチャートである。
【図１２】実施形態２に係る画像処理部の構成を示すブロック図である。
【図１３】実施形態２に係る記憶処理部における処理の概要を示すフローチャートである。
【図１４】実施形態２に係る出力処理部における処理の概要を示すフローチャートである。
【図１５】実施形態２に係る画像処理部における処理の概要を示すフローチャートである。
【図１６】実施形態３に係るＰＤＬ処理部の構成を示すブロック図である。
【図１７】実施形態３に係る出力処理部の構成を示すブロック図である。
【図１８】実施形態３に係る画像処理部の構成を示すブロック図である。
【図１９】実施形態３に係るＰＤＬ処理部における処理の概要を示すフローチャートである。
【図２０】実施形態３に係る出力処理部における処理の概要を示すフローチャートである。
【図２１】実施形態３に係る画像処理部における処理の概要を示すフローチャートである。
【図２２】ＭＦＰのパネル画面に表示される画面の一例である。
【図２３】ホストコンピュータ画面に表示される画面の一例である。
【符号の説明】
【０１４２】
１０：オフィス
１０１：ホストコンピュータ
１０２：特色実装ＭＦＰ
１０３：特色非実装ＭＦＰ
１０４：ＬＡＮ
２０１：アプリケーション
２０２：プリンタドライバＵＩ部
２０３：プリンタドライバ
２０４：送信部
３０１：ＰＤＬ処理部
３０２：記憶処理部
３０３：記憶部
３０４：ＵＩ部
３０５：画像処理部
３０６：印刷部
３０７：出力処理部
４０１：受信部
４０２：前解析部
４０３：特色―４色変換部
４０４：ＰＤＬ解析部
４０５：中間言語解析部
４０６：圧縮処理部
４０７：送信部
６０１：解凍処理部
６０２：記憶ジョブ情報受信／解析部
６０３：差分抽出処理部
６０４：圧縮処理部
６０５：送信部
６０６：差分情報付与部
７０１：解凍処理部
７０２：出力ジョブ情報受信／解析部
７０３：差分情報復元部
７０４：圧縮処理部
７０５：送信部
１００１：解凍処理部
１００２：色処理部
１００３：画像形成処理部
１００４：送信部
１２０１：トナー特性情報解析部
１６０１：特色トナー印字位置情報生成部
１７０１：特色トナー印字情報処理部
１８０１：特色生成部
２２０１：保存文書リスト
２２０２：印刷先リスト
２３０１：画像デザイン
【図１】
2010056647.tif 000003
【図２】
2010056647.tif 000004
【図３】
2010056647.tif 000005
【図４】
2010056647.tif 000006
【図５】
2010056647.tif 000007
【図６】
2010056647.tif 000008
【図７】
2010056647.tif 000009
【図８】
2010056647.tif 000010
【図９】
2010056647.tif 000011
【図１０】
2010056647.tif 000012
【図１１】
2010056647.tif 000013
【図１２】
2010056647.tif 000014
【図１３】
2010056647.tif 000015
【図１４】
2010056647.tif 000016
【図１５】
2010056647.tif 000017
【図１６】
2010056647.tif 000018
【図１７】
2010056647.tif 000019
【図１８】
2010056647.tif 000020
【図１９】
2010056647.tif 000021
【図２０】
2010056647.tif 000022
【図２１】
2010056647.tif 000023
【図２２】
2010056647.tif 000024
【図２３】
2010056647.tif 000025